(57)【要約】      （修正有）【課題】使用者は機能或いは位置のニーズに応じてセットできる万用型組合せ壁掛けラックを提供する。【解決手段】万用型組合せ壁掛けラックであって、平面上に固定される少なくとも１個のベース板１０、及びベース板１０上に掛けられる少なくとも１個の可動部材２０を有する。ベース板１０表面と可動部材２０背面との間には相互に吸着して定位可能な少なくとも２組の磁力吸着ユニット３０と磁力吸着凹槽４０を対応させて設置する。且つ磁力吸着ユニット３０は対応する磁力吸着凹槽４０中に嵌め入れられ、これにより可動部材２０をベース板１０に定位後の物品積載の積載力を強化する。実施時には可動部材２０はフック、名刺ボックスなどの各種日用品或いは装飾品に製造し、且つ使用時には多数のベース板１０を周縁に沿ってパズルのように相互に接続し、各式可動部材２０をセット或いは交換し、使用の利便性を図ることができる。【選択図】図１
0003200904.tif 000002
【実用新案登録請求の範囲】
【請求項１】
万用型組合せ壁掛けラックであって、平面上に固定される少なくとも１個のベース板、及び前記ベース板上に掛けられる少なくとも１個の可動部材を有し、
前記ベース板表面と前記可動部材背面との間には、相互に吸着して定位可能な少なくとも２組の磁力吸着ユニットと磁力吸着凹槽を対応させて設置し、
且つ前記磁力吸着ユニットは、対応する前記磁力吸着凹槽中に嵌め入れられ、これにより前記可動部材を前記ベース板に定位後の物品積載の積載力を強化することを特徴とする万用型組合せ壁掛けラック。
【請求項２】
前記磁力吸着ユニットは、前記ベース板表面、或いは前記可動部材背面の固定式柱状磁石に突出することを特徴とする請求項１に記載の万用型組合せ壁掛けラック。
【請求項３】
前記磁力吸着凹槽は、対応する可動部材背面に設置し、且つ凹槽内は、前記柱状磁石に対応し、対応する可動部材背面、或いはベース板表面に設置され、
且つ、前記凹槽内には、前記柱状磁石と相互に吸引する磁石を設置し、或いは凹槽内には、前記柱状磁石に吸引される導磁性金属設置することを特徴とする請求項２に記載の万用型組合せ壁掛けラック。
【請求項４】
前記磁力吸着ユニットは、前記ベース板表面、或いは前記可動部材背面に突出する導磁性金属柱であることを特徴とする請求項１に記載の万用型組合せ壁掛けラック。
【請求項５】
前記磁力吸着凹槽は、前記導磁性金属柱に対して、対応する前記可動部材背面、或いは前記ベース板表面に設置され、
且つ、凹槽内には、前記導磁性金属柱を吸引する磁石を設置することを特徴とする請求項４に記載の万用型組合せ壁掛けラック。
【請求項６】
前記磁力吸着ユニットは、前記ベース板表面、或いは前記可動部材背面に陥没して設置される定位槽、前記定位槽中に設置され、前記定位槽において伸縮するように突出し、対応する前記磁力吸着凹槽中に嵌め入る連接柱、前記定位槽中に設置され、恒常的に、前記連接柱を内向きに押し、前記連接柱を常態的に前記定位槽中に収納させるバネを有することを特徴とする請求項１に記載の万用型組合せ壁掛けラック。
【請求項７】
前記定位槽前端は、係止リングを内縮して形成し、
前記連接柱後端は、広がり、位置限定リングを形成し、
前記バネは、前記係止リングと前記位置限定リングとの間を押し、
前記連接柱の位置限定リングの外径は、前記定位槽の係止リングの内径より大きいため、前記連接柱は、前記定位槽内に制限され、
且つ前記連接柱前端の外径は、前記係止リングの内径より小さいため、前記連接柱は、前記定位槽に突出できることを特徴とする請求項６に記載の万用型組合せ壁掛けラック。
【請求項８】
前記連接柱は、柱状磁石で、
前記磁力吸着凹槽は、前記柱状磁石に対して、対応する前記可動部材背面、或いは前記ベース板表面に設置され、
且つ、凹槽内には、前記柱状磁石を吸引でき、これにより前記柱状磁石は前記定位槽において突出する磁石を設置し、或いは凹槽内には、前記柱状磁石に吸引され、前記柱状磁石を前記定位において突出させる導磁性金属を設置することを特徴とする請求項６に記載の万用型組合せ壁掛けラック。
【請求項９】
前記連接柱は、導磁性金属柱で、
前記磁力吸着凹槽は、前記導磁性金属柱に対して、対応する前記可動部材背面、或いは前記ベース板表面に設置され、
且つ、凹槽内には、前記導磁性金属柱を吸引でき、前記導磁性金属柱を前記定位槽に突出させる磁石を設置することを特徴とする請求項６に記載の万用型組合せ壁掛けラック。
【請求項１０】
前記ベース板周縁には、隣接するベース板を相互に吸引し、パズルのように相互に接続することができる少なくとも磁石を設置することを特徴とする請求項１〜９の任意の一項に記載の万用型組合せ壁掛けラック。
【考案の詳細な説明】
【技術分野】
【０００１】
本考案は万用型組合せ壁掛けラックに関し、特に使用者は機能或いは位置のニーズに応じてセットできる万用型組合せ壁掛けラックに関する。
【背景技術】
【０００２】
家庭で或いは職場では、収納ボックス、層状トレー、或いは壁面に掛けて設置するラックにより物品を収納し、室内空間が効果的に利用されている。
【０００３】
広く普及している壁掛け式のラックには、フック、ハンギング棚などがあるが、その固定方式は、粘着式、磁力吸着式、或いは螺合式がある。
螺合式では、通常はネジ或いは釘を利用し、壁面上にラックを固定するため、比較的重い物品を載せることができる。しかし、ネジ、釘は壁面を破壊し、且つ固定後は、使用者の習慣に応じてフレキシブルに調整することはできない。さらに、螺合式の施工は面倒で、プロ並みの穴あけドリルが必要は場合もあり、非常に不便である。
螺合式の積載力は最も優れているが、使用者が載せようとする物品が比較的軽いなら、大部分の使用者はやはり粘着式、磁力吸着式などの壁面を破壊せず、施工も容易な方式を選択する。
【０００４】
粘着式ラックは、螺合式に比べ、粘着位置を簡単に変えることができるが、使用時間が長くなると、粘性が徐々に失われていき、ラックの脱落を招く。
磁力吸着式ラックは、磁石の磁力吸着力を固定方式として利用するものである。磁力吸着式ラックは、粘着式に比べ、場所の変更は比較的便利であるが、磁石は、横方向の摩擦力が不足しており、物品を載せた後に滑って落下する問題が発生し易く、比較的重い物品を載せることはできない。
【０００５】
上記３種の方法にはそれぞれ長所と短所があり、且つ各ラックが積載できる物品の種類、数量には制限があるため、使用者は壁面上に多数組のラックを設置して物品を収納しなければならない欠点がある。
【考案の概要】
【考案が解決しようとする課題】
【０００６】
本考案は、少なくとも１個の固定のベース板、及び物品を積載でき、且つベース板上に組合せる可動部材を有し、使用者は機能或いは位置のニーズに応じて可動部材を迅速にベース板上に取り付けでき、使用の利便性を達成する万用型組合せ壁掛けラックに関する。
【課題を解決するための手段】
【０００７】
上述の目的を達成するため、本考案による万用型組合せ壁掛けラックは、平面上に固定される少なくとも１個のベース板、及び該ベース板上に掛けられる少なくとも１個の可動部材を有する。
該ベース板表面と該可動部材背面との間には、相互に吸着して定位可能な少なくとも２組の磁力吸着ユニットと磁力吸着凹槽を対応させて設置する。
且つ該磁力吸着ユニットは、対応する該磁力吸着凹槽中に嵌め入れられ、これにより該可動部材を該ベース板に定位後の物品積載の積載力を強化する。
【０００８】
本考案による万用型組合せ壁掛けラックにおいて、該可動部材は、フック、収納ボックス、名刺ボックス、ペン立て、メッセージボード、小型テープカッターなどの各種日用品、或いは装飾品で、使用者はこれにより小瓶や缶、小銭、印鑑、クリップ、メガネなど物品を置くことができる。
組み立て時には、該磁力吸着ユニットは、対応する磁力吸着凹中に対応して嵌め入れられ、これにより該可動部材を該ベース板に定位後の物品積載の積載力を強化する。
且つ使用者は、該多数のベース板を周縁に沿ってパズルのように相互に接続し、こうして使用者は機能或いは位置のニーズに応じて、各種異なる機能の可動部材をセット或いは交換し、使用の利便性を図ることができる。
【０００９】
実施時には、該磁力吸着ユニットは、該ベース板表面、或いは該可動部材背面の固定式柱状磁石に突出する。
【００１０】
実施時には、該磁力吸着凹槽は、該柱状磁石に対応し、対応する可動部材背面、或いはベース板表面に設置され、且つ該凹槽内には、該柱状磁石と相互に吸引する磁石を設置し、或いは凹槽内には、該柱状磁石に吸引される導磁性金属設置する。
【００１１】
実施時には、該磁力吸着ユニットは、該ベース板表面、或いは該可動部材背面に突出する導磁性金属柱である。
【００１２】
実施時には、該磁力吸着凹槽は、該導磁性金属柱に対して、対応する該可動部材背面、或いは該ベース板表面に設置され、且つ凹槽内には、該導磁性金属柱を吸引する磁石を設置する。
【００１３】
実施時には、該磁力吸着ユニットは、該ベース板表面、或いは該可動部材背面に陥没して設置される定位槽、該定位槽中に設置され、該定位槽において伸縮するように突出し、対応する該磁力吸着凹槽中に嵌め入る連接柱、該定位槽中に設置され、恒常的に、該連接柱を内向きに押し、該連接柱を常態的に該定位槽中に収納させるバネを有する。
【００１４】
実施時には、該定位槽前端は、係止リングを内縮して形成し、該連接柱後端は、広がり、位置限定リングを形成する。該バネは、該係止リングと該位置限定リングとの間を押し、該連接柱の位置限定リングの外径は、該定位槽の係止リングの内径より大きいため、該連接柱は、該定位槽内に制限される。且つ該連接柱前端の外径は、該係止リングの内径より小さいため、該連接柱は、該定位槽に突出できる。
【００１５】
実施時には、該連接柱は、柱状磁石で、該磁力吸着凹槽は、該柱状磁石に対して、対応する該可動部材背面、或いは該ベース板表面に設置される。且つ、凹槽内には、該柱状磁石を吸引でき、これにより該柱状磁石は該定位槽において突出する磁石を設置し、或いは凹槽内には、該柱状磁石に吸引され、該柱状磁石を該定位において突出させる導磁性金属を設置する。
【００１６】
実施時には、該連接柱は、導磁性金属柱で、該磁力吸着凹槽は、該導磁性金属柱に対して、対応する該可動部材背面、或いは該ベース板表面に設置される。且つ、凹槽内には、該導磁性金属柱を吸引でき、該導磁性金属柱を該定位槽に突出させる磁石を設置する。
【００１７】
実施時には、該ベース板周縁には、隣接するベース板を相互に吸引し、パズルのように相互に接続することができる少なくとも磁石を設置する。
【考案の効果】
【００１８】
該磁力吸着ユニットは、固定式或いは伸縮式の柱状磁石或いは導磁性金属柱で、該磁力吸着凹槽中に、該磁力吸着ユニットと相互に吸引する磁石或いは導磁性金属を設置し、これにより該磁力吸着ユニットは、対応する磁力吸着凹槽に嵌め入れられた後、磁力吸着力により定位効果を強化することができる。
【００１９】
本考案万用型組合せ壁掛けラックは、ベース板表面と可動部材背面との間に、相互に対応し、且つ相互に吸着して定位可能な少なくとも２組の磁力吸着ユニットと磁力吸着凹槽を対応させて設置する。且つ磁力吸着ユニットは、対応する磁力吸着凹槽中に嵌め入れられ、これにより可動部材をベース板に定位後の物品積載の積載力を強化する。使用においては、多数のベース板を周縁に沿って相互にパズルのように接続し、可動部材の個数をフレキシブルに増やすことができる他、可動部材は機能或いは位置のニーズに応じてセット或いは交換でき、使用の利便性を達成することができる。
【図面の簡単な説明】
【００２０】
【図１】本考案の立体外観図である。
【図２】本考案の立体分解図である。
【図３】本考案のベース板表面に固定式柱状磁石を設置し、可動部材背面に、磁力吸着凹槽と磁石を設置する構造図である。
【図４】本考案のベース板表面に固定式柱状磁石を設置し、可動部材背面に、磁力吸着凹槽と導磁性金属を設置する構造図である。
【図５】本考案のベース板表面に磁力吸着凹槽と磁石を設置し、可動部材背面に、固定式柱状磁石を設置する構造図である。
【図６】本考案のベース板表面に磁力吸着凹槽と導磁性金属を設置し、可動部材背面に、固定式柱状磁石を設置する構造図である。
【図７】本考案のベース板表面に導磁性金属柱を設置し、可動部材背面に、磁力吸着凹槽と磁石を設置する構造図である。
【図８】本考案のベース板表面に磁力吸着凹槽と導磁性金属を設置し、可動部材背面に、導磁性金属柱を設置する構造図である。
【図９】本考案のベース板表面に伸縮式磁力吸着ユニットを設置する動作模式図である。
【考案を実施するための形態】
【００２１】
以下に本考案の技術内容、構造特徴、達成する目的及び作用効果について、例を挙げ並びに図面を組み合わせて詳細に説明する。
【００２２】
図１に示すとおり、本考案の万用型組合せ壁掛けラックは、平面上に固定される少なくとも１個のベース板１０、及びベース板１０上に掛けられる少なくとも１個の可動部材２０を有する。可動部材２０は、フック、収納ボックス、名刺ボックス、ペン立て、メッセージボード、小型テープカッターなどの各種日用品、或いは装飾品で、使用者はこれにより小瓶や缶、小銭、印鑑、クリップ、メガネなど物品を置くことができる。
【００２３】
実施時には、ベース板１０周縁には、少なくとも磁石１１を設置し、これにより使用者は多数のベース板１０を周縁に沿ってパズルのように相互に接続することができる。こうして、使用者は機能、或いは位置のニーズに応じて、各式可動部材２０をセット或いは交換し、使用の利便性を図ることができる。
【００２４】
図２に示すとおり、ベース板１０表面と可動部材２０背面との間には、相互に吸着して定位可能な少なくとも２組の磁力吸着ユニット３０と磁力吸着凹槽４０を対応させて設置する。且つ、磁力吸着ユニット３０は、対応する磁力吸着凹槽４０中に嵌め入れられ、これにより可動部材２０をベース板１０に定位後の物品積載の積載力を強化することができる。
【００２５】
磁力吸着ユニット３０及び磁力吸着凹槽４０の設置位置と材質には、多種の組合せ方式が可能である。例えば、図３に示すとおり、磁力吸着ユニット３０は、ベース板１０表面に突出する固定式柱状磁石３１で、磁力吸着凹槽４０は、対応する可動部材２０背面に設置し、且つ凹槽内には、柱状磁石３１と相互に吸引する磁石４１を設置する。或いは、図４に示すとおり、凹槽内には、柱状磁石３１に吸引される導磁性金属４２を設置する。
【００２６】
当然、磁力吸着ユニット３０は、図５に示すとおり、可動部材２０背面に突出する固定式柱状磁石３１とすることもできる。磁力吸着凹槽４０は、対応するベース板１０表面に設置され、且つ凹槽内には、柱状磁石３１と相互に吸引し合う磁石４１を設置する。或いは、図６に示すと、凹槽内には、柱状磁石３１に吸引される導磁性金属４２を設置することもできる。
【００２７】
図７に示すとおり、磁力吸着ユニット３０は、ベース板１０表面に突出する導磁性金属柱３２である。磁力吸着凹槽４０は、対応する可動部材２０背面に設置され、且つ凹槽内には、導磁性金属柱３２を吸引できる磁石４１を設置する。或いは、図８に示すとおり、磁力吸着ユニット３０は、可動部材２０背面に突出する導磁性金属柱３２である。磁力吸着凹槽４０は、対応するベース板１０表面に設置され、且つ凹槽内には、導磁性金属柱３２を吸引可能な磁石４１を設置する。
【００２８】
さらに、磁力吸着ユニット３０は、ベース板１０表面、或いは可動部材２０背面に固定して突出する方式の他、図９に示すとおり、ベース板１０表面、或いは可動部材２０背面において伸縮し、これにより、ベース板１０表面、或いは可動部材２０背面はフラットな状態を保持される。
【００２９】
図９に示すとおり、磁力吸着ユニット３０は、ベース板１０表面に陥没して設置される定位槽３３、定位槽３３中に設置され、定位槽３３において伸縮するように突出し、対応する磁力吸着凹槽４０中に嵌め入る連接柱３４、定位槽３３中に設置され、恒常的に、連接柱３４を内向きに押し、連接柱３４を常態的に定位槽３３中に収納させるバネ３５を有する。
【００３０】
定位槽３３前端は、係止リング３３１を内縮して形成する。連接柱３４後端は、広がり、位置限定リング３４１を形成する。バネ３５は、係止リング３３１と位置限定リング３４１との間を押す。連接柱３４の位置限定リング３４１の外径は、定位槽３３の係止リング３３１の内径より大きいため、連接柱３４は、定位槽３３内に制限される。且つ、連接柱３４前端の外径は、係止リング３３１の内径より小さいため、連接柱３４は、定位槽３３に突出することができる。
【００３１】
本実施形態において、磁力吸着ユニット３０及び磁力吸着凹槽４０の設置位置と材質は、同様に多種の組合せ方式が可能である。例えば、磁力吸着ユニット３０を、可動部材２０背面に設置し、磁力吸着凹槽４０をベース板１０表面に設置するなどとすることもでき、ここでは詳細な説明は行わない。
【００３２】
図９では、その内の一実施形態を例とする。連接柱３４は、柱状磁石で、磁力吸着凹槽４０内には、連接柱３４を吸引でき、これにより連接柱３４は定位槽３３において突出する磁石４１を設置する。ベース板１０が、可動部材２０と全く接触していない時には、磁力吸着ユニット３０の連接柱３４は、定位槽３３中に埋設される。可動部材２０がベース板１０に近づくと、可動部材２０磁力吸着凹槽４０内の磁石４１は、連接柱３４を吸引でき、これにより連接柱３４は、定位槽３３中に突出して嵌め入れられ、定位を形成する。可動部材２０が、ベース板１０上から取り外されると、連接柱３４は、定位槽３３中のバネ３５の弾性押し上げを受け、復位する。
【００３３】
総合すると、本考案は確実に予期された作用効果と目的を達成し、並びにこの技術に習熟した者がこれをもとに実施できるほどに詳細に説明されたが、以上は本考案の好ましい実施例の説明に過ぎず、並びに本考案を限定するものではなく、本考案に提示の精神より逸脱せずに完成されるその他の同等の効果の修飾或いは置換は、いずれも本考案の権利請求範囲内に属する。
【符号の説明】
【００３４】
１０  ベース板
１１  磁石
２０  可動部材
３０  磁力吸着ユニット
３１  柱状磁石
３２  導磁性金属柱
３３  定位槽
３３１  係止リング
３４  連接柱
３４１  位置限定リング
３５  バネ
４０  磁力吸着凹槽
４１  磁石
４２  導磁性金属
【図１】
0003200904.tif 000003
【図２】
0003200904.tif 000004
【図３】
0003200904.tif 000005
【図４】
0003200904.tif 000006
【図５】
0003200904.tif 000007
【図６】
0003200904.tif 000008
【図７】
0003200904.tif 000009
【図８】
0003200904.tif 000010
【図９】
0003200904.tif 000011